【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
媒体に画像を形成する画像形成部と、
前記画像形成部により画像が形成された前記媒体を搬送し、その搬送方向が、前記媒体を排出する第１の方向と、前記媒体を前記画像形成部に搬送する第２の方向とに切り替え可能な排出搬送部と、
前記排出搬送部によって排出される前記媒体を案内するガイド部材であって、その位置が、第１の位置と、前記第１の位置に対して前記ガイド部材が前記媒体を押圧する押圧力が小さい位置または前記ガイド部材が前記媒体から離間する位置である第２の位置とに切り替え可能なガイド部材と、
前記排出搬送部が前記第１の方向に前記媒体を搬送するときに前記ガイド部を前記第１の位置に位置させ、前記排出搬送部が前記第２の方向に前記媒体を搬送するときに前記ガイド部を前記第２の位置に位置させる切替手段と
を備えることを特徴とする画像形成装置。
【請求項２】
前記排出搬送部の搬送方向が前記第１の方向から前記第２の方向に切り替わるときに、前記切替手段を制御して前記ガイド部材を前記第１の位置から前記第２の位置に切り替える制御部をさらに備えたことを特徴とする請求項１に記載の画像形成装置。
【請求項３】
前記媒体の搬送経路に設けられ、前記媒体の通過を検知する検知手段をさらに備えたことを特徴とする請求項２に記載の画像形成装置。
【請求項４】
前記切替手段は、前記排出搬送部の搬送方向を切り替えることを特徴とする請求項１から３までの何れか１項に記載の画像形成装置。
【請求項５】
前記排出搬送部の搬送方向を切り替える搬送方向切換手段をさらに備えたことを特徴とする請求項１から３までの何れか１項に記載の画像形成装置。
【請求項６】
前記ガイド部材は、前記媒体の搬出方向に向けて突出することを特徴とする請求項１から５までの何れか１項に記載の画像形成装置。
【請求項７】
前記切替手段は、駆動部と、前記駆動部の駆動を伝達する駆動伝達部とを有することを特徴とする請求項１から６までの何れか１項に記載の画像形成装置。
【請求項８】
前記駆動伝達部の駆動により前記ガイド部材が揺動する揺動軸をさらに備えたことを特徴とする請求項７に記載の画像形成装置。
【請求項９】
前記駆動部は、アクチュエータであることを特徴とする請求項７または８に記載の画像形成装置。
【請求項１０】
前記アクチュエータは、ソレノイドであることを特徴とする請求項９に記載の画像形成装置。
【請求項１１】
前記ガイド部材を前記第１の位置に向けて付勢する付勢部材をさらに備えたことを特徴とする請求項１から１０までの何れか１項に記載の画像形成装置。
【手続補正２】
【補正対象書類名】明細書
【補正対象項目名】０００６
【補正方法】変更
【補正の内容】
【０００６】
本発明に係る画像形成装置は、媒体に画像を形成する画像形成部と、画像形成部により画像が形成された媒体を搬送し、その搬送方向が、媒体を排出する第１の方向と、媒体を画像形成部に搬送する第２の方向とに切り替え可能な排出搬送部と、排出搬送部によって排出される媒体を案内するガイド部材であって、その位置が、第１の位置と、第１の位置に対してガイド部材が媒体を押圧する押圧力が小さい位置またはガイド部材が媒体から離間する位置である第２の位置とに切り替え可能なガイド部材と、排出搬送部が第１の方向に媒体を搬送するときにガイド部を第１の位置に位置させ、排出搬送部が第２の方向に媒体を搬送するときにガイド部を第２の位置に位置させる切替手段とを備える。
【手続補正３】
【補正対象書類名】明細書
【補正対象項目名】００２４
【補正方法】変更
【補正の内容】
【００２４】
画像形成装置１００の印刷制御部８００（図４）は、後述するように、排出センサレバー２３１と排出センサ２３２に基づき、媒体の後端が搬送ローラ２１１ａおよび搬送コロ２１１ｂを通過したタイミングで排出ローラ２１２ａを反転させることにより、戻り搬送ユニット１０８（後述）に向けて媒体を搬送する。そのため、排出ユニット１０７には、排出ローラ２１２ａの反転により両面搬送ユニット１０８に向けて搬送される媒体を案内する反転搬送路１１２が設けられている。
【手続補正４】
【補正対象書類名】明細書
【補正対象項目名】００２５
【補正方法】変更
【補正の内容】
【００２５】
両面搬送ユニット１０８は、ＩＤユニット１０４および定着ユニット１０６の下側で、且つ、給紙カセット１０１の上側に配置されている。両面搬送ユニット１０８は、反転搬送路１１２を経て搬送されてきた媒体を、定着ユニット１０６の下側およびＩＤユニット１０４の下側を経て、搬送ユニット１０２に搬送する戻り搬送路（リターンパス）１１１を有している。戻り搬送路１１１は、搬送ユニット１０２のレジストローラ２０５ａおよびプレッシャローラ２０５ｂの近傍まで延び、上述した搬送路１１０と合流する。
【手続補正５】
【補正対象書類名】明細書
【補正対象項目名】００４１
【補正方法】変更
【補正の内容】
【００４１】
画像形成装置１００は、さらに、メインモータ制御部８８０および定着制御部９１０を有している。メインモータ制御部８８０は、メインモータ８８１の駆動制御を行う。メインモータ８８１は、上述したように、感光ドラム３０１（および、これに連動する現像ローラ３０４、供給ローラ３０５、転写ローラ２０７）、ピックアップローラ２０２、給紙ローラ２０１、搬送ローラ２０４ａ、レジストローラ２０５ａ、定着ローラ２０９、搬送ローラ２１１ａ、排出ローラ２１２ａ、反転搬送ローラ２１３ａ，２１４ａを回転駆動する。すなわち、メインモータ８８１は、ＩＤユニット１０４の各ローラのほか、給紙ユニット１０１、搬送ユニット１０２、定着ユニット１０６、排出ユニット１０７および両面搬送ユニット１０８において媒体を搬送する各ローラを回転駆動する駆動源である。
【手続補正６】
【補正対象書類名】明細書
【補正対象項目名】００４６
【補正方法】変更
【補正の内容】
【００４６】
ソレノイド５０５が非通電状態であるため、リンクアーム５０４はスプリング５０６の付勢力により、遊星ギア２５４を第５ギア２５５に係合させる位置にある。そのため、図６（Ａ）に示すように、第１ギア２５１の回転は、第２ギア２５２、第３ギア２５３、遊星ギア２５４、第５ギア２５５、第８ギア２５８、第７ギア２５７、第６ギア２５６の順に伝達され、それぞれ矢印で示す方向に回転する。第５ギア２５５に連結された排出ローラ２１２ａは、媒体を排出口１０９から排出する順方向（第１の方向）に回転する。
【手続補正７】
【補正対象書類名】明細書
【補正対象項目名】００４７
【補正方法】変更
【補正の内容】
【００４７】
また、リンク部材５０３は、シャフト５０２を押し上げているため、揺動軸５０１ａを中心として、ガイド部材５０１は下方に揺動している。このとき、図７（Ａ）に示すように、ガイド部材５０１は、排出口１０９から排出された媒体を、媒体積載部２００に向けて案内する位置（第１の位置）にある。ガイド部材５０１の媒体に当接する側の案内面Ｇは、排出ローラ２１２ａと排出コロ２１２ｂとのニップ部における接線Ｔ（すなわち媒体がニップ部を通過する際の搬送方向）に対して、角度θ１をなしている。角度θ１は、ガイド部材５０１の案内面Ｇに案内された媒体が媒体積載部２２０に良好に積載される角度に設定される。ここでは、角度θ１は、例えば４８度とする。
【手続補正８】
【補正対象書類名】明細書
【補正対象項目名】００５２
【補正方法】変更
【補正の内容】
【００５２】
遊星ギア２５４が第６ギア２５６に係合することで、メインモータ８８１の回転は、第１ギア２５１、第２ギア２５１、第３ギア２５３、遊星ギア２５４から第６ギア２５６を経て、第７ギア２５７、第８ギア２５８および第５ギア２５５に順に伝達される。そのため、第５ギア２５５、第６ギア２５６、第７ギア２５７および第８ギア２５８のそれぞれの回転方向は、図６（Ａ）に示した回転方向とは逆になる。その結果、第５ギア２５５に連結された排出ローラ２１２ａは、回転方向が反転し、媒体を両面搬送ユニット１０８に向けて搬送する方向（第２の方向）に回転する。すなわち、排出口１０９から途中まで排出された媒体は、再び画像形成装置１００内に引き戻されて、両面搬送ユニット１０８に向けて搬送される。
【手続補正９】
【補正対象書類名】明細書
【補正対象項目名】００５３
【補正方法】変更
【補正の内容】
【００５３】
また、リンクアーム５０４の矢印Ｄ方向の回転により、リンク部材５０３がシャフト５０２を押し下げるため、揺動軸５０１ａを中心として、ガイド部材５０１が矢印Ｅで示す方向に押し上げられる。その結果、図７（Ｂ）に示すように、ガイド部材５０１は、排出ローラ２１２ａと排出コロ２１２ｂとのニップ部を通過した媒体の移動範囲との干渉量が小さくなる位置、すなわち、ガイド部材５０１が媒体を押圧する押圧力が小さくなる位置（第２の位置）に退避する。その結果、反転搬送される媒体に対するガイド部材５０１の押圧力が小さくなる。
【手続補正１０】
【補正対象書類名】明細書
【補正対象項目名】００７１
【補正方法】変更
【補正の内容】
【００７１】
第２の実施の形態におけるガイド部材５０１Ｌ，５０１Ｒの構成および配置は、第１の実施の形態と同様である。ガイド部材５０１Ｌ，５０１Ｒには、揺動軸５０１ａと平行な一本の金属製のシャフト５０２が取り付けられており、このシャフト５０２の一端は、ガイド部材５０１Ｌ，５０１Ｒの角度を切り替えるためのリンク部材５１３に取り付けられている。第１の実施の形態と同様、ガイド部材５０１Ｌ，５０１Ｒは、特に区別する必要がある箇所を除き、「ガイド部材５０１」として説明する。
【手続補正１１】
【補正対象書類名】明細書
【補正対象項目名】００７９
【補正方法】変更
【補正の内容】
【００７９】
ソレノイド５０５がＯＦＦ状態であるため、第１の実施の形態で説明したように、遊星ギア２５４は第５ギア２５５に係合している。図１０（Ａ）に示したように、メインモータ８８１からの回転伝達によって第１ギア２５１が矢印の方向に回転し、それに伴ってギア２５２〜２５８がそれぞれ矢印の方向に回転し、排出ローラ２１２ａが媒体を排出する方向（順方向）に回転する。また、ソレノイド５１５がＯＦＦ状態にあるため、ガイド部材５０１は、排出口１０９から排出された媒体を案内する位置にある。ガイド部材５０１の案内面Ｇは、この案内面Ｇで案内した媒体が積載部２２０に良好に積載されるよう、排出ローラ２１２ａと排出コロ２１２ｂとのニップ部における接線Ｔ（すなわち媒体がニップ部を通過する際の搬送方向）に対して角度θ１をなしている（図７（Ａ））。
【手続補正１２】
【補正対象書類名】明細書
【補正対象項目名】００８２
【補正方法】変更
【補正の内容】
【００８２】
さらに、排出センサ２３２が媒体の後端の通過を検知すると、印刷制御部８００は、媒体の後端が搬送ローラ２１１ａを通過するタイミング（ｔ１）で、ソレノイド５０５に通電する。ソレノイド５０５の通電により、プランジャ５０５ａはスプリング５０６の付勢力に抗して矢印Ｃで示すように退避位置に移動する。これにより、リンクアーム５０４が矢印Ｄで示す方向に揺動し、遊星ギア２５４が第５ギア２５５から離間し、第６ギア２５６に係合する。遊星ギア２５４と第６ギア２５６との係合により、メインモータ８８１の回転は、遊星ギア２５４から第６ギア２５６を経て、第７ギア２５７、第８ギア２５８および第５ギア２５５に伝達される。その結果、第５ギア２５５に連結された排出ローラ２１２ａの回転方向は反転する。すなわち、排出口１０９から途中まで排出された媒体が、画像形成装置１００内に引き戻され、両面搬送ユニット１０８に向けて搬送される。
【手続補正１３】
【補正対象書類名】図面
【補正対象項目名】図１
【補正方法】変更
【補正の内容】
【図１】
2012254833.tif 000001
【手続補正１４】
【補正対象書類名】図面
【補正対象項目名】図４
【補正方法】変更
【補正の内容】
【図４】
2012254833.tif 000002